(57)【要約】【課題】乗りかごを利用するまでの間の待ち時間に、利用者に与えるストレスを緩和する。【解決手段】本発明の利用状態表示システム１によれば、乗りかご２に利用者が乗降中であることを検出する重量差検出部４と、重量差検出部４により乗りかご２に利用者が乗降中であることが検出されたとき、乗りかご２に利用者が乗降中であることを表示する表示器１０１〜１０７とを具備している。【選択図】      図１
2005255270.tif 000002
【特許請求の範囲】
【請求項１】
乗りかごの利用状態を表示する利用状態表示システムであって、
前記乗りかごに利用者が乗降中であることを検出する利用者検出手段と、
前記利用者検出手段により前記乗りかごに利用者が乗降中であることが検出されたとき、前記乗りかごに利用者が乗降中であることを表示する表示器と
を具備した利用状態表示システム。
【請求項２】
乗りかごの利用状態を表示する利用状態表示システムであって、
前記乗りかごのドアが開放されていることを検出する開放検出手段と、
前記乗りかごに利用者が乗降中であることを検出する利用者検出手段と、
前記開放検出手段により乗りかごのドアの開放されていることが検出され、かつ、前記利用者検出手段により前記乗りかごに利用者が乗降中であることが検出されたとき、前記乗りかごのドアが開放されていることと、乗りかごの利用者が乗降中であることとを関連付けて表示する表示器と
を具備した利用状態表示システム。
【請求項３】
乗りかごの利用状態を表示する利用状態表示システムであって、
前記乗りかごのドアが開放されていることを検出する開放検出手段と、
前記乗りかごの重量変化を検出する重量変化検出手段と、
前記開放検出手段により前記乗りかごのドアが開放されていることが検出されたとき、前記検出された乗りかごの重量変化に基づいて、前記乗りかごを利用者が利用しているか否かを判定する利用状態判定手段と、
前記利用状態判定手段により前記乗りかごを利用者が利用していると判定されたとき、前記乗りかごを利用者が利用していることを表示する利用状態表示手段と
を具備した利用状態表示システム。
【請求項４】
乗りかごの利用状態を表示する利用状態表示システムであって、
前記乗りかごのドアが開放されていることを検出する開放検出手段と、
前記乗りかごの重量変化を検出する重量変化検出手段と、
前記開放検出手段により前記ドアが開放されていることが検出されたとき、前記検出された乗りかごの重量変化に基づいて、前記乗りかごを利用者が利用しているか否かを判定する利用状態判定手段と、
前記利用状態判定手段により前記乗りかごを利用者が利用していると判定したとき、前記乗りかごのドアが開放されていることと、前記乗りかごを利用者が利用していることとを関連付けて表示する利用状態表示手段と
を具備した利用状態表示システム。
【請求項５】
乗りかごの利用状態を表示する利用状態表示システムであって、
前記乗りかごのドアが開放されていることを検出する開放検出手段と、
前記検出された乗りかごの重量変化を検出する重量変化検出手段と、
前記検出された乗りかごの総重量を検出する総重量検出手段と、
前記開放検出手段により前記ドアが開放されていることが検出されたとき、前記乗りかごの重量変化に基づいて、前記乗りかごを利用者が利用しているか否かを判定する利用状態判定手段と、
前記利用状態判定手段で前記乗りかごを利用者が利用していると判定されたとき、前記乗りかごの総重量に基づいて、前記乗りかごが利用可能であるか否かを判定する利用可能性判定手段と、
前記利用可能性判定手段により前記乗りかごが利用可能であると判定されたとき、前記乗りかごが利用中で、かつ、前記乗りかごが利用可能であることを表示する利用可能性表示手段と
を具備した利用状態表示システム。
【請求項６】
乗りかごの利用状態を表示する利用状態表示システムであって、
前記乗りかごのドアが開放されていることを検出する開放検出手段と、
前記検出された乗りかご内への利用者の出入りを検出する利用者検出手段と、
前記開放検出手段により前記乗りかごのドアが開放されていることが検出されたとき、前記利用者検出手段により前記利用者の出入りが検出されたか否かに基づいて、前記乗りかごが利用されているか否かを判定する利用状態判定手段と、
前記利用状態判定手段により前記乗りかごが利用されていると判定されたとき、前記乗りかごのドアが開放されていることと、前記乗りかごを利用者が利用していることとを関連付けて表示する利用状態表示手段と
を具備した利用状態表示システム。
【発明の詳細な説明】
【技術分野】
【０００１】
本発明は、乗りかごの利用状態を表示する利用状態表示システムに関する。
【背景技術】
【０００２】
従来、エレベータの乗りかごの利用状態を表示する利用状態表示システムとしては、乗りかごのドアの開閉状態を表示する表示器を具備したシステムが開示されている（特許文献１参照）。
【特許文献１】特開平７−１５７２１８号公報
【発明の開示】
【発明が解決しようとする課題】
【０００３】
しかし、この種の利用状態表示システムでは、乗りかごのドアが開放されていることは表示されていても、利用者が利用中であるのか又は故障中であるのかに関する情報は全く表示されない。
【０００４】
従って、この種の利用状態表示システムでは、乗りかごのドアが何故開放されているのかに関する情報が乗りかごの利用者に全く与えられないことになる。
【０００５】
このため、この種の利用状態表示システムでは、他の階床で引越し等によりドアを開放したまま荷物の出し入れをしている場合、ドアが開放状態にあることは分かるが、何故ドアが開放状態のまま乗りかごが停止しているのかが分からないので、利用者が乗りかごに乗降中なのか又はエレベータが故障しているのか否かが分からず、利用者に対し、多大なストレスを与えてしまう可能性がある。
【０００６】
そこで、本発明は、上記事情を考慮してなされたもので、乗りかごを利用するまでの間の待ち時間に、利用者に与えるストレスを緩和することを可能にする利用状態表示システムを提供することを目的とする。
【課題を解決するための手段】
【０００７】
上記課題を解決するために、第１の発明は、乗りかごの利用状態を表示する利用状態表示システムであって、乗りかごに利用者が乗降中であることを検出する利用者検出手段と、利用者検出手段により前記乗りかごに利用者が乗降中であることが検出されたとき、乗りかごに利用者が乗降中であることを表示する表示器とを具備した利用状態表示システムである。
【０００８】
このような構成とすれば、利用者検出手段により利用者が乗りかごに乗降中であることが検出されたとき、表示器により乗りかごに利用者が乗降中であることが表示されるので、乗りかごを利用するまでの間の待ち時間に、利用者に与えるストレスを緩和することが出来る。
【０００９】
第２の発明は、乗りかごの利用状態を表示する利用状態表示システムであって、乗りかごのドアが開放されていることを検出する開放検出手段と、乗りかごに利用者が乗降中であることを検出する利用者検出手段と、開放検出手段により乗りかごのドアの開放されていることが検出され、かつ、利用者検出手段により乗りかごに利用者が乗降中であることが検出されたとき、乗りかごのドアが開放されていることと、乗りかごの利用者が乗降中であることとを関連付けて表示する表示器とを具備した利用状態表示システムである。
【００１０】
このような構成によれば、開放検出手段により乗りかごのドアの開放されていることが検出され、かつ、利用者検出手段により乗りかごに利用者が乗降中であることが検出されたとき、表示器により、乗りかごのドアが開放されていることと、乗りかごの利用者が乗降中であることとを関連付けて表示されるので、乗りかごを利用するまでの間の待ち時間に、利用者に与えるストレスを緩和することが出来る。
【００１１】
第３の発明は、乗りかごの利用状態を表示する利用状態表示システムであって、乗りかごのドアが開放されていることを検出する開放検出手段と、乗りかごの重量変化を検出する重量変化検出手段と、開放検出手段により乗りかごのドアが開放されていることが検出されたとき、検出された乗りかごの重量変化に基づいて、乗りかごを利用者が利用しているか否かを判定する利用状態判定手段と、利用状態判定手段により乗りかごを利用者が利用していると判定されたとき、乗りかごを利用者が利用していることを表示する利用状態表示手段とを具備した利用状態表示システムである。
【００１２】
このような構成とすれば、開放検出手段により前記乗りかごのドアが開放されていることが検出されたとき、検出された乗りかごの重量変化に基づいて、利用状態判定手段により乗りかごを利用者が利用しているか否かが判定され、乗りかごを利用者が利用していると判定されたとき、利用状態表示手段により乗りかごを利用者が利用していることが表示されるので、乗りかごを利用するまでの間の待ち時間に、利用者に与えるストレスを緩和することが出来る。
【００１３】
第４の発明は、乗りかごの利用状態を表示する利用状態表示システムであって、乗りかごのドアが開放されていることを検出する開放検出手段と、乗りかごの重量変化を検出する重量変化検出手段と、開放検出手段によりドアが開放されていることが検出されたとき、検出された乗りかごの重量変化に基づいて、乗りかごを利用者が利用しているか否かを判定する利用状態判定手段と、利用状態判定手段により乗りかごを利用者が利用していると判定したとき、乗りかごのドアが開放されていることと、乗りかごを利用者が利用していることとを関連付けて表示する利用状態表示手段とを具備した利用状態表示システムである。
【００１４】
このような構成とすれば、開放検出手段により前記ドアが開放されていることが検出されたとき、検出された乗りかごの重量変化に基づいて、利用状態判定手段により乗りかごを利用者が利用しているか否かが判定され、利用状態判定手段により乗りかごを利用者が利用していると判定したとき、利用状態表示手段により乗りかごのドアが開放されていることと、乗りかごを利用者が利用していることとが関連付けて表示されるので、乗りかごを利用するまでの間の待ち時間に、利用者に与えるストレスを緩和することが出来る。
【００１５】
第５の発明は、乗りかごの利用状態を表示する利用状態表示システムであって、乗りかごのドアが開放されていることを検出する開放検出手段と、検出された乗りかごの重量変化を検出する重量変化検出手段と、検出された乗りかごの総重量を検出する総重量検出手段と、開放検出手段によりドアが開放されていることが検出されたとき、乗りかごの重量変化に基づいて、乗りかごを利用者が利用しているか否かを判定する利用状態判定手段と、利用状態判定手段で乗りかごを利用者が利用していると判定されたとき、乗りかごの総重量に基づいて、乗りかごが利用可能であるか否かを判定する利用可能性判定手段と、利用可能性判定手段により乗りかごが利用可能であると判定されたとき、乗りかごが利用中で、かつ、乗りかごが利用可能であることを表示する利用可能性表示手段とを具備した利用状態表示システムである。
【００１６】
このような構成とすれば、開放検出手段により乗りかごのドアが開放されていることが検出され、当該乗りかごの重量変化が重量変化検出手段により検出され、当該乗りかごの総重量が総重量検出手段により検出され、ドアが開放されていることが検出されたとき、乗りかごの重量変化に基づいて、利用状態判定手段により乗りかごを利用者が利用しているか否かが判定され、当該判定の結果、乗りかごを利用者が利用していると判定されたとき、乗りかごの総重量に基づいて、利用可能性判定手段により乗りかごが利用可能であるか否かが判定され、当該判定の結果、乗りかごが利用可能であると判定されたとき、利用可能性表示手段により乗りかごが利用中で、かつ、乗りかごが利用可能であることが表示されるので、乗りかごを利用するまでの間の待ち時間に、利用者に与えるストレスを緩和することが出来る。
【００１７】
第６の発明は、乗りかごの利用状態を表示する利用状態表示システムであって、乗りかごのドアが開放されていることを検出する開放検出手段と、検出された乗りかご内への利用者の出入りを検出する利用者検出手段と、開放検出手段により乗りかごのドアが開放されていることが検出されたとき、利用者検出手段により利用者の出入りが検出されたか否かに基づいて、乗りかごが利用されているか否かを判定する利用状態判定手段と、利用状態判定手段により乗りかごが利用されていると判定されたとき、乗りかごのドアが開放されていることと、乗りかごを利用者が利用していることとを関連付けて表示する利用状態表示手段とを具備した利用状態表示システムである。
【００１８】
このような構成とすれば、開放検出手段により乗りかごのドアが開放されていることが検出されたとき、利用者検出手段により利用者の出入りが検出されたか否かに基づいて、利用状態判定手段により乗りかごが利用されているか否かが判定され、当該判定の結果、乗りかごが利用されていると判定されたとき、利用状態表示手段により乗りかごのドアが開放されていることと、乗りかごを利用者が利用していることとが関連付けて表示されるので、乗りかごを利用するまでの間の待ち時間に、利用者に与えるストレスを緩和することが出来る。
【発明の効果】
【００１９】
本発明によれば、乗りかごを利用するまでの間の待ち時間に、利用者に与えるストレスを緩和することを可能にする利用状態表示システムを提供出来る。
【発明を実施するための最良の形態】
【００２０】
以下、本発明の各実施の形態に関し、図面を参照して説明する。
【００２１】
＜第１の実施の形態＞
図１は、本発明の第１の実施の形態に係る利用状態表示システム１の一例を示す模式図である。
【００２２】
本実施の形態に係る利用状態表示システム１は、図示しない昇降路内に設けられ、乗りかご２の位置を検出する位置検出部３と、乗りかご２の底面に取り付けられた重量差検出部４と、乗りかご２の底面に設けられ、乗りかご２の速度を検出する速度検出部５と、乗りかご２の天井面に取り付けられた開放検出部６と、位置検出部３、重量差検出部４、速度検出部５、及び開放検出部６とテールコード７で接続されたエレベータ制御盤８と、各階のエレベータホールに設けられ、かつ、エレベータ制御盤８に制御線９を介して接続された第１の表示器１０１〜１０７とを具備している。
【００２３】
なお、本実施の形態では、地下１階〜地上６階までの階床にエレベータホールが設けられ、それぞれの階床に第１の表示器が設けられている例に関して説明するが、階床の数は、任意の数に変更可能であることはいうまでもない。
【００２４】
位置検出部３は、乗りかご２が移動する図示しない昇降路内に設けられ、乗りかご２の位置を検出し、検出した乗りかご２の位置と乗りかご２のＩＤとをエレベータ制御盤８に出力する。
【００２５】
重量差検出部４は、乗りかご２に利用者が乗降した場合に、乗りかご２の重量変化に伴う磁束変化を検出し、検出した磁束変化と乗りかご２のＩＤとをエレベータ制御盤８６に出力する。
【００２６】
なお、本実施の形態に係る重量差検出部４としては、例えば、図２に示すような乗りかご２の底面２Ｕと乗りかご２の下枠４ａとの間に取り付けられた歪み検出部材４ｂと、乗りかご２に利用者が乗降した場合に、乗りかご２内に利用者が乗降したことにより生じる重量差によって、この歪み検出部材４ｂに生じる位置変化を磁束変化として検出するコイル４ｃとを設ける。
【００２７】
また、本実施の形態では、乗りかご２に利用者が乗降中であることを検出する手法として、乗りかご２の重量差に伴って発生するコイルの磁束変化を検出する重量差検出部４を用いたが、これに限らず、例えば、図３に示すような乗りかご２の入り口近傍に設けられた光電スイッチ４ｄ、４ｅによって乗りかご２内の利用者の出入りを検出する手法により利用者が乗降中であることを検出してもよい。なお、図３は、乗りかご２内を当該乗りかご２の天井面又は底面の方向から見た乗りかご２の断面図である。
【００２８】
速度検出部５は、乗りかご２の速度を検出し、検出した乗りかご２の速度と乗りかご２のＩＤとをエレベータ制御盤８に出力する。
【００２９】
開放検出部６は、乗りかご２のドア２Ｄの周縁部に設けられ、ドア２Ｄが開放されたことを示すモータ６ａの回転数を検出し、検出したモータ６ａの回転数と乗りかご２のＩＤとをエレベータ制御盤８に出力する。
【００３０】
なお、本実施の形態に係る開放検出部６としては、例えば、図４及び図５に示すような乗りかご２のドア２Ｄの周縁部に設けられ、ドア２Ｄを駆動するためのモータ６ａと、このモータ６ａの回転子の回転軸６ｂ上に設けられた回転部材６ｃと、この回転部材６ｃ上に設けられ、ドア２Ｄを駆動するために無端円環状に形成された駆動ベルト６ｄと、モータ６ａの回転子の回転軸６ｂ上に回転部材６ｃに直列に設けられ、モータ６ａの回転数をサンプリングするサンプリング周期を特定するためのパルス信号を出力するパルス発振器６ｅとを具備した開放検出装置を用いる。
【００３１】
また、本実施の形態では、乗りかご２のドア２Ｄが開放したことを検出するために、前述した開放検出装置を用いたが、周知の近接スイッチを用いてもよい。
【００３２】
更に、本実施の形態に係る開放検出部６としては、周知の光電管スイッチを用いてもよい。
【００３３】
エレベータ制御盤８は、位置検出部３からテールコード７を介して出力された乗りかご２の位置と乗りかご２のＩＤとを受け取る機能と、速度検出部５からテールコード７を介して出力された乗りかご２の速度と乗りかご２のＩＤとを受け取る機能と、開放検出部６からテールコード７５を介して出力されたモータ６ａの回転数と乗りかご２のＩＤを受け取り、受け取ったモータ６ａの回転数をドア２Ｄ間の距離に変換する機能と、速度検出部５から受け取った乗りかご２の速度から乗りかご２が停止しているか否かを判定する機能と、当該判定の結果、乗りかご２が停止していると判定した場合、前述した変換の結果、得られたドア２Ｄ間の距離が所定のしきい値以上である場合に、乗りかご２のドア２Ｄが開放されていると判定する機能と、当該乗りかご２に関し、重量差検出部４から出力された磁束変化と乗りかご２のＩＤとを受け取り、受け取った磁束変化を乗りかご２の重量差に変換する機能と、変換した重量差が乗りかご２のＩＤに対応して予め定められた所定の範囲内にあるか否かにより、対応する乗りかご２内に利用者が乗降中であるか否かを判定する機能と、当該判定の結果、重量差が所定の範囲内にある、換言すれば乗りかご２内に利用者が乗降中であると判定した場合、位置検出部３から受け取った乗りかご２の位置に相当する停止中の階床以外の他の階床の第１の表示器に乗りかご２に利用者が乗降中であることを表示させる表示指令を出力する機能とを有する。
【００３４】
第１の表示器１０１〜１０７には、前述した図１に示すように、現在の階床を表示する部分１０１ａ〜１０７ａと、乗りかご２の移動方向を表示する部分１０１ｂ〜１０７ｂと、ドアが開放していることを表示する部分１０１ｃ〜１０７ｃと、乗りかご２に利用者が乗降中であることを表示する部分１０１ｄ〜１０７ｄと、階床登録釦１０１ｅ〜１０７ｅとが設けられており、エレベータ制御盤８から出力された表示指令に応じて、乗りかご２のドアが開放されていることと、乗りかご２に利用者が乗降中であること、換言すれば、乗りかごが利用可能であることとが関連付けて表示される。
【００３５】
なお、本実施の形態では、第１の表示器１０１〜１０７には、エレベータ制御盤８から出力された表示指令に応じて、乗りかご２のドア２Ｄが開放されていることと、乗りかご２に利用者が乗降中であることとが関連付けて表示されていたが、これに限らず、乗りかご２に利用者が乗降中であることだけを表示させてもよい。
【００３６】
また、本実施の形態の第１の表示器１０１〜１０７に代えて、図６及び図７に示すような表示器、換言すれば、現在の階床を表示する部分１０１ａと、乗りかご２の移動方向を表示する部分１０１ｂと、ドアが開放していることを表示する部分１０１ｃと、階床登録釦１０１ｅとが設けられた表示器、又は現在の階床を表示する部分１０１ａと、乗りかご２の移動方向を表示する部分１０１ｂと、階床登録釦１０１ｅとが設けられた表示器を用いてもよい。この場合、乗りかご２のドアが開放され、かつ、利用者が乗降中であることを示すために、第１の表示器では、エレベータ制御盤８から出力された表示指令に応じて現在の階床を表示する部分１０１ａを点滅させてもよいし、乗りかご２の移動方向を表示する部分１０１ｂを点滅させてもよい。
【００３７】
更に、本実施の形態では、エレベータホール側に設けられた第１の表示器１０１〜１０７に、エレベータ制御盤８から出力された表示指令に応じて、乗りかご２のドアが開放されていることと、乗りかご２に利用者が乗降中であることとが関連付けて表示させたが、これに限らず、利用者の迅速な利用を促す観点から、他の階床で待つ利用者がいることを乗りかご２内に表示させてもよい。
【００３８】
なお、本実施の形態では、乗りかご２のドアが開放状態にあることと、利用者が乗りかご２に乗降中であることとをエレベータホール内に音声で出力してもよい。
【００３９】
次に、以上のように構成した利用状態表示システム１の動作に関し、図面を参照して説明する。
【００４０】
図８は、本実施の形態に係る利用状態表示システム１内のエレベータ制御盤８の動作を説明するためのフローチャートである。
【００４１】
始めに、エレベータ制御盤８は、位置検出部３から出力された乗りかご２の位置と乗りかご２のＩＤとを受け取る（ＳＴ１）。
【００４２】
次に、エレベータ制御盤８は、速度検出部５から出力された乗りかご２の速度と乗りかご２のＩＤとを受け取る（ＳＴ２）。
【００４３】
始めに、エレベータ制御盤８は、開放検出部６から乗りかご２のドアを駆動するモータ６ａの回転数と乗りかご２のＩＤとを受け取る（ＳＴ３）。
【００４４】
次に、エレベータ制御盤８は、受け取ったモータ６ａの回転数を対応する乗りかご２のドア間の距離に変換する（ＳＴ４）。
【００４５】
次に、エレベータ制御盤８は、重量差検出部４から出力された磁界変化と乗りかご２のＩＤとを受け取る（ＳＴ５）。
【００４６】
次に、エレベータ制御盤８は、受け取った磁界変化を対応する乗りかご２の重量差に変換する（ＳＴ６）。
【００４７】
次に、エレベータ制御盤８は、速度検出部５から出力された乗りかご２の速度が０であるか否かにより、乗りかご２が停止しているか否かを判定する（ＳＴ７）。
【００４８】
エレベータ制御盤８は、この工程ＳＴ７で乗りかご２が停止していると判定した場合（ＳＴ７：ＹＥＳ）、前述した変換の結果得られたドア間の距離が所定のしきい値以上であるか否かにより、乗りかご２のドアが開放されているか否かを判定する（ＳＴ８）。
【００４９】
エレベータ制御盤８は、この工程ＳＴ８で乗りかご２のドアが開放されていると判定した場合（ＳＴ８：ＹＥＳ）、更に、乗りかご２の重量差が乗りかご２毎に予め定められた所定の範囲内にあるか否かにより、乗りかご２内に利用者が乗降中であるか否かを判定する（ＳＴ９）。
【００５０】
エレベータ制御盤８は、この工程ＳＴ９で乗りかご２内に利用者が乗降中であると判定した場合（ＳＴ９：ＹＥＳ）、乗りかご２のドアが開放されていることと、乗りかご２内に利用者が乗降中であることとを関連付けて表示させるための表示指令を位置検出部３から受け取った乗りかご２の位置に対応する階床以外の他の階床に設けられた第１の表示器に出力する（ＳＴ７）。これにより、第１の表示器には、乗りかご２のドアが開放されていることと、乗りかご２内に利用者が乗降中であることとを関連付けて表示される。
【００５１】
一方、エレベータ制御盤８は、前述した工程ＳＴ７で乗りかご２が停止していないと判定した場合（ＳＴ７：Ｎｏ）、そのまま動作を終了する。
【００５２】
一方、エレベータ制御盤８は、前述した工程ＳＴ８で乗りかご２のドアが開放されていないと判定した場合（ＳＴ８：Ｎｏ）、そのまま動作を終了する。
【００５３】
一方、エレベータ制御盤８は、前述した工程ＳＴ９で乗りかご２内に利用者が乗降中でないと判定した場合（ＳＴ９：Ｎｏ）、そのまま動作を終了する。
【００５４】
以上のような一連の処理により、エレベータ制御盤８は、動作を終了する。
【００５５】
上述したように本実施の形態によれば、エレベータ制御盤８が乗りかご２のドアが開放されていることを検出したとき、重量差が所定の範囲内であると判定した場合に、乗りかご２が停止している階床以外の階床の第１の表示器に乗りかご２のドアが開放されていることと、乗りかご２を利用者が利用していることとを関連付けて表示するので、乗りかご２のドアが何故開放されているのかに関する情報を利用者に提供でき、乗りかご２を利用するまでの間の待ち時間に、利用者に与えるストレスを緩和することが出来る。
【００５６】
＜第２の実施の形態＞
図９は、本発明の第２の実施の形態に係る利用状態表示システム１´の一例を示す模式図である。なお、前述した第１の実施の形態と同一部分については、同一符号を付して、その詳しい説明を省略し、ここでは異なる部分について主に説明する。
【００５７】
本実施の形態の利用状態表示システム１´は、エレベータホールで乗りかご２を待つ利用者により詳細な乗りかご２の情報を提供する観点から、第２の表示器１１１〜１１７を、第１の実施の形態の構成に更に付加した構成となっている。
【００５８】
第２の表示器１１１〜１１７には、図９に示すように、利用者が乗りかご２に乗降中であること、換言すれば利用者が利用可能であることを示す部分１１１ａ〜１１７ａと、乗りかご２内部が満員であること、換言すれば利用不可能であることを表示する部分１１１ｂ〜１１７ｂと、乗りかご２内の図示しない運転モード切換スイッチが専用運転モードに切換られていること、換言すれば、乗りかご２を利用者が全く利用不可能であることを表示する部分と、故障中であることを表示する部分１１１ｄ〜１１７ｄとが設けられている。
【００５９】
また、本実施の形態の利用可能状態表示システム１´は、エレベータ制御盤８をエレベータ制御盤８´に置換した構成となっている。
【００６０】
本実施の形態に係るエレベータ制御盤８´は、乗りかご２内の図示しないモード変換スイッチが専用運転モードに切り換えられているか否かを判定する機能と、当該判定の結果、専用運転モードに切り換えられていると判定した場合、専用運転モードに切り換えられていること、換言すれば利用者が利用不可能であることを表示させるための表示指令を第１の表示器及び第２の表示器にそれぞれ出力する機能と、専用運転モードに切り替えられていないと判定した場合、位置検出部３から出力された乗りかご２の位置と乗りかご２のＩＤとを受け取る機能と、速度検出部５から出力された乗りかご２の速度と乗りかご２のＩＤとを受け取る機能と、開放検出部６から出力されたモータ６ａの回転数と乗りかご２のＩＤとを受け取る機能と、モータ６ａの回転数をドア間の距離に変換する機能と、重量差検出部４から出力された磁束変化と乗りかご２のＩＤとを受け取る機能と、受け取った磁束変化を乗りかご２の重量差と総重量とに変換する機能と、速度検出部５から出力された乗りかご２の速度が０であるか否かにより、乗りかご２が停止しているか否かを判定する機能と、当該判定の結果、乗りかご２が停止していると判定した場合、停止していると判定した乗りかご２と同一のＩＤを有する乗りかご２のドアが開放されているか否かを判定する機能と、乗りかご２のドアが開放されていると判定した場合、乗りかご２内に利用者が乗降中であるか否かを判定する機能と、乗りかご２内に利用者が乗降中であると判定した場合、乗りかご２のドアが開放されていることと、利用者が乗降中であること、すなわち、乗りかご２のドアが開放されていることと、乗りかご２が利用可能であることとを対応して表示させるための表示指令を第１の表示器及び第２の表示器に出力する機能と、乗降中であると判定された乗りかご２内の総重量が許容値である積載可能重量の最大値以下の値であるか否かを判定する機能と、乗りかご２内の総重量が許容値以下の値であると判定した場合、乗りかご２のドアの異常反転が検出されたか否かにより、故障が発生したか否かを判定する機能と、故障が発生したと判定した場合、故障が発生したこと、すなわち乗りかご２が利用不可能であることを表示させる表示指令を位置検出部３から出力された位置に対応する階床以外の他の階床に設けられた第１の表示器と第２の表示器とにそれぞれ出力する機能と、乗りかご２内の総重量が許容値よりも大きい値であると判定した場合、満員運転であることを表示させる表示指令を位置検出部３から出力された位置に対応する階床以外の他の階床に設けられた第１の表示器と第２の表示器とにそれぞれ出力する機能とを有する。
【００６１】
なお、他の構成に関しては、第１の実施の形態と同様の構成であるので、ここではその詳しい説明は省略する。
【００６２】
次に、以上のように構成された利用状態表示システム１´の動作に関し、図面を参照して説明する。
【００６３】
図１０は、本実施の形態に係る利用状態表示システム１´内のエレベータ制御盤８´の動作を説明するためのフローチャートである。
【００６４】
始めに、エレベータ制御盤８´は、乗りかご２内の図示しないモード変換スイッチが専用運転モードに切り換えられているか否かを判定する（ＳＴ１１）。
【００６５】
エレベータ制御盤８´は、この工程ＳＴ１１で専用運転モードに切り換えられていると判定した場合（ＳＴ１１：ＹＥＳ）、専用運転モードに切り換えられていること、換言すれば利用者が利用不可能であることを表示させるための表示指令を第１の表示器１０１〜１０７及び第２の表示器１１１〜１１７にそれぞれ出力する（ＳＴ１２）。これにより、第１の表示器１０１〜１０７には、一切の表示がなされなくなり、第２の表示器１１１〜１１７には、専用運転であることが表示される。
【００６６】
一方、エレベータ制御盤８´は、前述した工程ＳＴ１１で専用運転モードに切り替えられていないと判定した場合（ＳＴ１１：Ｎｏ）、前述した工程ＳＴ１と同様に、位置検出部３から出力された乗りかご２の位置と乗りかご２のＩＤとを受け取る（ＳＴ１３）。
【００６７】
次に、エレベータ制御盤８´は、前述した工程ＳＴ２と同様に、速度検出部５から出力された乗りかご２の速度と乗りかご２のＩＤとを受け取る（ＳＴ１４）。
【００６８】
次に、エレベータ制御盤８´は、前述した工程ＳＴ３と同様に、開放検出部６から出力されたモータ６ａの回転数と乗りかご２のＩＤとを受け取る（ＳＴ１５）。
【００６９】
次に、エレベータ制御盤８´は、前述した工程ＳＴ４と同様に、モータ６ａの回転数をドア間の距離に変換する（ＳＴ１６）。
【００７０】
次に、エレベータ制御盤８´は、前述した工程ＳＴ５と同様に、重量差検出部４から出力された磁束変化と乗りかご２のＩＤとを受け取る（ＳＴ１７）。
【００７１】
次に、エレベータ制御盤８´は、受け取った磁束変化を乗りかご２の重量差と総重量とに変換する（ＳＴ１８）。
【００７２】
次に、エレベータ制御盤８´は、前述した工程ＳＴ７と同様に、速度検出部５から出力された乗りかご２の速度が０であるか否かにより、乗りかご２が停止しているか否かを判定する（ＳＴ１９）。
【００７３】
エレベータ制御盤８´は、この工程ＳＴ１９で乗りかご２が停止していると判定した場合（ＳＴ１９：ＹＥＳ）、前述した工程ＳＴ８と同様に、停止していると判定した乗りかご２と同一のＩＤを有する乗りかご２のドアが開放されているか否かを判定する（ＳＴ２０）。
【００７４】
一方、エレベータ制御盤８´は、前述した工程ＳＴ１９で乗りかご２が停止していないと判定した場合（ＳＴ１９：Ｎｏ）、そのまま動作を終了する。
【００７５】
エレベータ制御盤８´は、前述した工程ＳＴ２０で乗りかご２のドアが開放されていると判定した場合（ＳＴ２０：ＹＥＳ）、前述した工程ＳＴ９と同様に、乗りかご２内に利用者が乗降中であるか否かを判定する（ＳＴ２１）。
【００７６】
一方、エレベータ制御盤８´は、前述した工程ＳＴ２０で乗りかご２のドアが開放されていないと判定した場合（ＳＴ２０：Ｎｏ）、そのまま動作を終了する。
【００７７】
エレベータ制御盤８´は、前述した工程ＳＴ２１で乗りかご２内に利用者が乗降中であると判定した場合（ＳＴ２１：ＹＥＳ）、前述した工程ＳＴ１０と同様に、乗りかご２のドアが開放されていることと、利用者が乗降中であること、すなわち、乗りかご２のドアが開放されていることと、乗りかご２が利用可能であることとを対応して表示させるための表示指令を位置検出部から出力された位置に対応する階床以外の他の階床の第１の表示器及び第２の表示器に出力する（ＳＴ２２）。これにより、第１の表示器には、乗りかご２のドアが開放されていることと、利用者が乗降中であることとが関連付けて表示され、第２の表示器には、乗りかご２が乗降中であることが表示される。
【００７８】
一方、エレベータ制御盤８´は、前述した工程ＳＴ２１で乗りかご２内に利用者が乗降中でないと判定した場合（ＳＴ２１：Ｎｏ）、そのまま動作を終了する。
【００７９】
工程ＳＴ２３では、エレベータ制御盤８´は、乗降中であると判定された乗りかご２内の総重量が許容値である積載可能重量の最大値以下の値であるか否かを判定する。
【００８０】
エレベータ制御盤８´は、この工程ＳＴ２３で乗りかご２内の総重量が許容値以下の値であると判定した場合（ＳＴ２３：ＹＥＳ）、乗りかご２のドアの異常反転が検出されたか否かにより、故障が発生したか否かを判定する（ＳＴ２４）。
【００８１】
エレベータ制御盤８´は、この工程ＳＴ２４で乗りかご２のドアが故障したと判定した場合（ＳＴ２４：ＹＥＳ）、故障が発生したこと、すなわち乗りかご２が利用不可能であることを表示させる表示指令を位置検出部３から出力された位置に対応する階床以外の他の階床に設けられた第１の表示器と第２の表示器とにそれぞれ出力する（ＳＴ２５）。これにより、第１の表示器には、一切の表示がなされなくなり、第２の表示器には、故障中であることが表示される。
【００８２】
一方、エレベータ制御盤８´は、前述した工程ＳＴ２３で乗りかご２内の総重量が許容値よりも大きい値であると判定した場合（ＳＴ２３：Ｎｏ）、満員運転であることを表示させる表示指令を位置検出部３から出力された位置に対応する階床以外の他の階床に設けられた第１の表示器と第２の表示器とにそれぞれ出力する（ＳＴ２６）。
【００８３】
以上のような一連の処理により、エレベータ制御盤８´はその動作を終了する。
【００８４】
上述したように本実施の形態によれば、第１の実施の形態の効果に加え、ドアが開放されていることと、乗りかご２に利用者が乗降中であることだけでなく、乗りかご２が利用可能か否かに関する他の詳細な情報をエレベータホール側の利用者に提供することが出来るので、利用者に与えるストレスの緩和に効果的に寄与することが出来る。
【００８５】
なお、この発明は、上記各実施の形態そのままに限定されるものではなく、実施段階ではその要旨を逸脱しない範囲で構成要素を変形して具体化出来る。また、上記各実施の形態に開示されている複数の構成要素の適宜な組み合せにより種々の発明を形成出来る。例えば、実施の形態に示される全構成要素から幾つかの構成要素を削除してもよい。更に、異なる実施の形態に亘る構成要素を適宜組み合せてもよい。
【図面の簡単な説明】
【００８６】
【図１】第１の実施の形態に係る利用状態表示システム１の一例を示す模式図。
【図２】第１の実施の形態に係る重量差検出部４の一例を示す模式図。
【図３】第１の実施の形態に係る重量差検出部４の他の一例を示す模式図。
【図４】第１の実施の形態に係る開放検出部６の一例を示す模式図。
【図５】第１の実施の形態に係る開放検出部６の一例を示す模式図。
【図６】第１の実施の形態に係る第１の表示器１０１の他の一例を示す模式図。
【図７】第１の実施の形態に係る第１の表示器１０１の更に他の一例を示す模式図。
【図８】第１の実施の形態に係る利用状態表示システム１内のエレベータ制御盤８の動作を説明するためのフローチャート。
【図９】第２の実施の形態に係る利用状態表示システム１´の一例を示す模式図。
【図１０】第２の実施の形態に係る利用状態表示システム１内のエレベータ制御盤８´の動作を説明するためのフローチャート。
【符号の説明】
【００８７】
１、１´…利用状態表示システム、２…乗りかご、２Ｄ…ドア、２Ｕ…底面、３…位置検出部、４…重量差検出部、４ｅ…乗りかごの下枠、４ｂ…歪み検出部材、４ｃ…コイル、４ｄ…光電スイッチ、４ｅ…光電スイッチ、５…速度検出部、６…開放検出部、７…テールコード、８、８´…エレベータ制御盤、９…制御線、１０１〜１０７…第１の表示器
、１１１〜１１７…第２の表示器
【図１】
2005255270.tif 000003
【図２】
2005255270.tif 000004
【図３】
2005255270.tif 000005
【図４】
2005255270.tif 000006
【図５】
2005255270.tif 000007
【図６】
2005255270.tif 000008
【図７】
2005255270.tif 000009
【図８】
2005255270.tif 000010
【図９】
2005255270.tif 000011
【図１０】
2005255270.tif 000012